(57)【要約】【課題】ＩＥＥＥ１３９４シリアルバスを介して磁気テープ再生装置に接続されるコントローラ機器において、再生キーに続いて巻戻キーや早送キーが入力された場合に、磁気テープ再生装置に対して再生巻戻コマンドや再生早送コマンドを迅速に送信する。【解決手段】再生ボタンに続いて巻戻ボタンがクリックされた場合に、コントローラ１側のＣＰＵが、ＶＴＲ２が再生中であるか否かを確認することなく、ＶＴＲ２から再生コマンドに対する正常受付のレスポンスが返送された時点で、再生フラグをオンにして（Ｓ４及びＳ５）、この再生フラグの内容とクリックされたボタンの種類とに基づいて、ＶＴＲ２に送信するコマンドの種類を判定するようにした（Ｓ７）。これにより、ＶＴＲ２から再生中であるか否かの問合結果が返ってくるのを待たずに、コマンドの種類を判定することができるので、ＶＴＲ２に対して再生早送コマンドを迅速に送信することができる。【選択図】      図４
2004236091.tif 000002
【特許請求の範囲】
【請求項１】
ＩＥＥＥ１３９４シリアルバスを介して磁気テープ再生装置と接続され、
前記磁気テープ再生装置に対する各種制御用コマンドに対応したキーを入力するためのキー入力手段と、
前記磁気テープ再生装置が再生中であるか否かの情報（再生情報）を記憶する記憶手段と、
前記キー入力手段によりキー入力がされたときに、入力されたキーの種類と前記記憶手段に記憶された再生情報とに基づいて前記磁気テープ再生装置に送信する制御用コマンドの種類を判定する判定手段と、
前記判定手段による判定結果に応じた制御用コマンドをＩＥＥＥ１３９４シリアルバスを介して前記磁気テープ再生装置に送信するためのＩＥＥＥ１３９４インタフェースと、
前記キー入力手段、記憶手段、判定手段及びＩＥＥＥ１３９４インタフェースを制御する制御手段とを備えたＩＥＥＥ１３９４シリアルバスに接続されるコントローラ機器において、
前記制御手段は、
前記キー入力手段により再生キーが入力された場合に、前記ＩＥＥＥ１３９４インタフェースにより前記磁気テープ再生装置に対して再生コマンドを送信して、前記磁気テープ再生装置から前記ＩＥＥＥ１３９４インタフェースを介して再生コマンドに対する正常受付のレスポンスが返送された時点で、前記磁気テープ再生装置が再生中であるか否かを確認することなく、前記記憶手段に記憶された再生情報の更新を行い、
前記キー入力手段により再生キーに続いて巻戻キー又は早送キーが入力された場合に、前記磁気テープ再生装置から前記ＩＥＥＥ１３９４インタフェースを介して再生コマンドに対する正常受付のレスポンスが返送された時点で、前記磁気テープ再生装置が再生中であるか否かを確認することなく、前記判定手段による制御用コマンドの種類の判定を行うようにして、
前記磁気テープ再生装置に対して再生巻戻コマンドや再生早送コマンドを前記ＩＥＥＥ１３９４インタフェースにより迅速に送信することができるようにしたことを特徴とするＩＥＥＥ１３９４シリアルバスに接続されるコントローラ機器。
【請求項２】
ＩＥＥＥ１３９４シリアルバスを介して磁気テープ再生装置と接続され、
前記磁気テープ再生装置に対する各種制御用コマンドに対応したキーを入力するためのキー入力手段と、
前記磁気テープ再生装置の状態に関する情報（状態情報）を記憶する記憶手段と、
前記キー入力手段によりキー入力がされたときに、入力されたキーの種類と前記記憶手段に記憶された状態情報とに基づいて前記磁気テープ再生装置に送信する制御用コマンドの種類を判定する判定手段と、
前記判定手段による判定結果に応じた制御用コマンドをＩＥＥＥ１３９４シリアルバスを介して前記磁気テープ再生装置に送信するためのＩＥＥＥ１３９４インタフェースと、
前記キー入力手段、記憶手段、判定手段及びＩＥＥＥ１３９４インタフェースを制御する制御手段とを備えたＩＥＥＥ１３９４シリアルバスに接続されるコントローラ機器において、
前記制御手段は、
前記キー入力手段により連続して２回のキー入力がされた場合に、前記磁気テープ再生装置から最初のキー入力に対応したコマンドに対する正常受付のレスポンスが返送された時点で、前記磁気テープ再生装置の状態を確認することなく、前記記憶手段に記憶された状態情報の更新と、前記判定手段による制御用コマンドの種類の判定を行うようにして、
前記磁気テープ再生装置に対して制御用コマンドを前記ＩＥＥＥ１３９４インタフェースにより迅速に送信することができるようにしたことを特徴とするＩＥＥＥ１３９４シリアルバスに接続されるコントローラ機器。
【請求項３】
前記記憶手段に記憶された状態情報は、前記磁気テープ再生装置が再生中であるか否かの情報であることを特徴とする請求項２に記載のＩＥＥＥ１３９４シリアルバスに接続されるコントローラ機器。
【請求項４】
請求項１乃至３のいずれかに記載のコントローラ機器とこのコントローラ機器により制御される磁気テープ再生装置とをＩＥＥＥ１３９４シリアルバスを介して接続したことを特徴とするネットワークシステム。
【発明の詳細な説明】
【０００１】
【発明の属する技術分野】
本発明は、ＩＥＥＥ１３９４シリアルバスを介して磁気テープ再生装置と接続されて、この磁気テープ再生装置の遠隔制御を行うコントローラ機器、及びこのコントローラ機器と磁気テープ再生装置とをＩＥＥＥ１３９４シリアルバスを介して接続したネットワークシステムに関するものである。
【０００２】
【従来の技術】
従来より、ＩＥＥＥ１３９４シリアルバス（以下、バスと略す）を介して磁気テープ再生装置を制御するコントローラ機器において、磁気テープ再生装置の状態を確認してからでないと、磁気テープ再生装置に制御用コマンドを送信できない場合がある。何故ならば、コントローラ機器は、巻戻キーや早送キーが押された場合に、その時点で磁気テープ再生装置が停止状態であれば、磁気テープ再生装置に巻戻コマンドや早送コマンドを送り、その時点で磁気テープ再生装置が再生状態であれば、再生巻戻コマンドや再生早送コマンドを送る必要があるからである。
【０００３】
次に、図５を参照して、上記のコントローラ機器側において再生キーに続いて巻戻キーが押された場合における処理について説明する。コントローラ機器は、再生キーが押下されると（Ｓ１０１）、磁気テープ再生装置に対して再生コマンドを格納したＡＶ／Ｃ（Ａｕｄｉｏ  Ｖｉｄｅｏ／Ｃｏｎｔｒｏｌ）コマンドフレーム（コントローラ側からターゲット側に送られるＦＣＰ（Ｆｕｎｃｔｉｏｎ  Ｃｏｎｔｒｏｌ  Ｐｒｏｔｏｃｏｌ）パケットフレーム）を送信する（Ｓ１０２）。磁気テープ再生装置は、このコマンドフレームを受信して再生コマンドを正常に受け付けた場合には、再生コマンドに対するＡＶ／Ｃレスポンスフレーム（ターゲット側からコントローラ側に送られるＦＣＰパケットフレーム）を作成して（Ｓ１０３）、このレスポンスフレームをコントローラ機器に返送する（Ｓ１０４）。コントローラ機器は、上記のレスポンスフレームを受信すると、磁気テープ再生装置に対して状態問合コマンドを格納したＡＶ／Ｃコマンドフレームを送信する（Ｓ１０５）。磁気テープ再生装置は、状態問合コマンドを正常に受け付けた場合には、状態問合コマンドに対するＡＶ／Ｃレスポンスフレームを作成して（Ｓ１０６）、このレスポンスフレームをコントローラ機器に返送する（Ｓ１０７）。コントローラ機器は、レスポンスフレームの内容をチェックして、磁気テープ再生装置が再生状態であることを確認した上で、ＲＡＭ上の再生フラグ（図１中の１８参照）をオンにする（Ｓ１０８）。この状態で巻戻キーが押されると（Ｓ１０９）、コントローラ機器は、ＲＡＭ上の再生フラグの内容に基づいて磁気テープ再生装置に送信するコマンドの種類を判定して（Ｓ１１０）、磁気テープ再生装置に再生巻戻コマンドを格納したコマンドフレームを送信する（Ｓ１１１）。
【０００４】
また、ＩＥＥＥ１３９４シリアルバスに接続された複数の機器をリモート制御によって連携的に動作させる情報通信装置の分野において、コントローラ側の機器が、あるターゲット側の機器にコマンドを送信して、そのターゲット側の機器から最終レスポンスを所定時間内に送信不可能な旨の仮レスポンス（ＩＮＴＥＲＩＭ  ｒｅｓｐｏｎｓｅ）を受信した場合に、該当のトランザクション処理を終了させることにより、他のターゲット側の機器に関する処理をスムーズに行って、システム全体の連携動作に必要な処理時間の短縮化を図るようにしたものが知られている（例えば、特許文献１参照）。
【０００５】
【特許文献１】
特開２００１−２５１３２５号公報（第１−３頁、第２６−２８頁、図３２−３３）
【０００６】
【発明が解決しようとする課題】
しかしながら、上記のような再生キーに続いて巻戻キーや早送キーが押された場合に磁気テープ再生装置が再生状態であることを確認してから送信する制御用コマンドの種類を判定するコントローラ機器では、磁気テープ再生装置から再生中であるか否かの問合結果が返ってくるのを待つ必要があるので、磁気テープ再生装置に対して再生巻戻コマンドや再生早送コマンドを迅速に送信することができないという問題があった。これに対して、再生キーに続いて巻戻キーが押された場合に、図６に示されるように、単純に図５中のＳ１０５〜Ｓ１０８に相当する処理を省略して、コントローラ機器が、磁気テープ再生装置が再生状態であるか否かを確認することなく、直前に押されたキーの種類のみに基づいて送信する制御用コマンドの種類を判定した場合には（Ｓ１２６）、再生巻戻コマンドではなく巻戻コマンドを送信してしまう（Ｓ１２７）。
【０００７】
また、上記特許文献１に示される発明を磁気テープ再生装置のコントローラ機器に適用したとしても、上記の問題を解決することはできない。
【０００８】
本発明は、上記の問題を解決するためになされたものであり、再生キーに続いて巻戻キーや早送キーが入力された場合に、磁気テープ再生装置に対して再生巻戻コマンドや再生早送コマンドを迅速に送信することが可能なＩＥＥＥ１３９４シリアルバスに接続されるコントローラ機器とそれを用いたネットワークシステムを提供することを目的とする。
【０００９】
【課題を解決するための手段】
上記目的を達成するために請求項１の発明は、ＩＥＥＥ１３９４シリアルバスを介して磁気テープ再生装置と接続され、磁気テープ再生装置に対する各種制御用コマンドに対応したキーを入力するためのキー入力手段と、磁気テープ再生装置が再生中であるか否かの情報（再生情報）を記憶する記憶手段と、キー入力手段によりキー入力がされたときに、入力されたキーの種類と記憶手段に記憶された再生情報とに基づいて磁気テープ再生装置に送信する制御用コマンドの種類を判定する判定手段と、判定手段による判定結果に応じた制御用コマンドをＩＥＥＥ１３９４シリアルバスを介して磁気テープ再生装置に送信するためのＩＥＥＥ１３９４インタフェースと、キー入力手段、記憶手段、判定手段及びＩＥＥＥ１３９４インタフェースを制御する制御手段とを備えたＩＥＥＥ１３９４シリアルバスに接続されるコントローラ機器において、制御手段は、キー入力手段により再生キーが入力された場合に、ＩＥＥＥ１３９４インタフェースにより磁気テープ再生装置に対して再生コマンドを送信して、磁気テープ再生装置からＩＥＥＥ１３９４インタフェースを介して再生コマンドに対する正常受付のレスポンスが返送された時点で、磁気テープ再生装置が再生中であるか否かを確認することなく、記憶手段に記憶された再生情報の更新を行い、キー入力手段により再生キーに続いて巻戻キー又は早送キーが入力された場合に、磁気テープ再生装置からＩＥＥＥ１３９４インタフェースを介して再生コマンドに対する正常受付のレスポンスが返送された時点で、磁気テープ再生装置が再生中であるか否かを確認することなく、判定手段による制御用コマンドの種類の判定を行うようにして、磁気テープ再生装置に対して再生巻戻コマンドや再生早送コマンドをＩＥＥＥ１３９４インタフェースにより迅速に送信することができるようにしたものである。
【００１０】
上記構成においては、キー入力手段により再生キーに続いて巻戻キー又は早送キーが入力された場合に、制御手段が、磁気テープ再生装置が再生中であるか否かを確認することなく、磁気テープ再生装置から再生コマンドに対する正常受付のレスポンスが返送された時点で、記憶手段に記憶された再生情報の更新を行い、この再生情報と入力されたキーの種類とに基づいて、磁気テープ再生装置に送信する制御用コマンドの種類を判定手段により判定する。これにより、磁気テープ再生装置から再生中であるか否かの問合結果が返ってくるのを待たずに、送信する制御用コマンドの種類を判定することができるので、磁気テープ再生装置に対して再生巻戻コマンドや再生早送コマンドを迅速に送信することができる。
【００１１】
また、請求項２の発明は、ＩＥＥＥ１３９４シリアルバスを介して磁気テープ再生装置と接続され、磁気テープ再生装置に対する各種制御用コマンドに対応したキーを入力するためのキー入力手段と、磁気テープ再生装置の状態に関する情報（状態情報）を記憶する記憶手段と、キー入力手段によりキー入力がされたときに、入力されたキーの種類と記憶手段に記憶された状態情報とに基づいて磁気テープ再生装置に送信する制御用コマンドの種類を判定する判定手段と、判定手段による判定結果に応じた制御用コマンドをＩＥＥＥ１３９４シリアルバスを介して磁気テープ再生装置に送信するためのＩＥＥＥ１３９４インタフェースと、キー入力手段、記憶手段、判定手段及びＩＥＥＥ１３９４インタフェースを制御する制御手段とを備えたＩＥＥＥ１３９４シリアルバスに接続されるコントローラ機器において、制御手段は、キー入力手段により連続して２回のキー入力がされた場合に、磁気テープ再生装置から最初のキー入力に対応したコマンドに対する正常受付のレスポンスが返送された時点で、磁気テープ再生装置の状態を確認することなく、記憶手段に記憶された状態情報の更新と、判定手段による制御用コマンドの種類の判定を行うようにして、磁気テープ再生装置に対して制御用コマンドをＩＥＥＥ１３９４インタフェースにより迅速に送信することができるようにしたものである。
【００１２】
この構成においては、制御手段は、キー入力手段により連続して２回のキー入力がされた場合に、磁気テープ再生装置から最初のキー入力に対応したコマンドに対する正常受付のレスポンスが返送された時点で、磁気テープ再生装置の状態を確認することなく、記憶手段に記憶された状態情報の更新を行い、この状態情報と入力されたキーの種類とに基づいて、磁気テープ再生装置に送信する制御用コマンドの種類を判定手段により判定する。これにより、磁気テープ再生装置から状態の問合結果が返ってくるのを待たずに、送信する制御用コマンドの種類を判定することができるので、磁気テープ再生装置に対して制御用コマンドを迅速に送信することができる。
【００１３】
また、請求項３の発明は、請求項２の発明において、記憶手段に記憶された状態情報が、磁気テープ再生装置が再生中であるか否かの情報であるものである。この構成においては、上記請求項１と同様な作用を得ることができる。
【００１４】
また、請求項４の発明は、請求項１乃至３のいずれかに記載のコントローラ機器とこのコントローラ機器により制御される磁気テープ再生装置とをＩＥＥＥ１３９４シリアルバスを介して接続したネットワークシステムである。この構成においては、磁気テープ再生装置を迅速に制御することができる。
【００１５】
【発明の実施の形態】
以下、本発明を具体化した一実施形態に係るコントローラ機器とそれを用いたネットワークシステムについて図面を参照して説明する。図１は、本実施形態に係るネットワークシステムの概略構成を示す。このネットワークシステム３は、ＰＣ（パソコン）であるコントローラ機器１（以下、コントローラと略す）と、このコントローラ１により制御される磁気テープ再生装置であるカメラ一体型ディジタルＶＴＲ（Ｖｉｄｅｏ  Ｔａｐｅ  Ｒｅｃｏｒｄｅｒ）２（以下、ＶＴＲと略す）とをＩＥＥＥ１３９４シリアルバス４（以下、バスと略す）を介して接続したものである。
【００１６】
上記のコントローラ１は、バス４を介してＶＴＲ２に制御用コマンド等のデータを送信するためのＩＥＥＥ１３９４インタフェース（以下、インタフェースと略す）１０と、装置全体の制御を行うＣＰＵ１１（制御手段、判定手段）と、ＶＴＲ２のドライバ・プログラム等を記録したハードディスク１２と、ＶＴＲ２のドライバ・プログラムを含む各種プログラムがローディングされるＲＡＭ１３（記憶手段）と、各種の指示を入力するためのキーボード１４及びマウス１５（キー入力手段）と、ＶＴＲ２の制御用画面等を表示するディスプレイ１６とを有している。ＣＰＵ１１は、コントローラ１の起動時にＲＡＭ１３上に各種プログラムの作業領域１７を確保する。この作業領域１７内のデータには、ＶＴＲ２が再生中である場合に‘１’（オン）となり、再生中でない場合に‘０’（オフ）となる再生フラグ１８（再生情報、状態情報）が含まれる。
【００１７】
また、上記のＶＴＲ２は、バス４を介してコントローラ１から制御用コマンド等のデータを受信するためのインタフェース２０と、内蔵するＣＣＤ（Ｃｈａｒｇｅ  Ｃｏｕｐｌｅｄ  Ｄｅｖｉｃｅ）で撮影した被写体像をアナログ信号の形で出力するビデオカメラ２１と、ビデオカメラ２１から出力されたアナログ信号をディジタル信号に変換するＡ／Ｄ変換部２３と、Ａ／Ｄ変換部２３から送られた画像データを一時的に蓄積する画像メモリ２４と、画像メモリ２４に蓄積された画像データに対して各種の画像処理を施すＣＰＵ２５と、ＣＰＵ２５で処理されたディジタル信号の形式の画像データをアナログ信号に変換するＤ／Ａ変換部２６とを有している。また、ＶＴＲ２は、Ｄ／Ａ変換部２６から出力されたアナログ信号形式の画像データをビデオテープに記録する記録回路２７と、Ｄ／Ａ変換部２６から出力された画像を表示する液晶モニタ２８と、記録回路２７によりビデオテープに記録された画像データを再生する再生回路２２とを有している。
【００１８】
次に、上記のコントローラ１によるＶＴＲ２の制御の仕組みについて図２を参照して説明する。このコントローラ１は、バス４を介してＶＴＲ２に制御用コマンドを送信することにより、ＶＴＲ２を遠隔制御する。コントローラ１からＶＴＲ２への制御用コマンドの送信には、ＩＥＥＥ１３９４の規格において電子機器の音声・映像データの転送等に用いられる伝送制御手順であるＡＶ／Ｃプロトコルが用いられる。ＡＶ／Ｃプロトコルに使用される制御用コマンド（ＡＶ／Ｃコマンド）、及びその応答（ＡＶ／Ｃレスポンス）の送受信には、ＦＣＰ（Ｆｕｎｃｔｉｏｎ  Ｃｏｎｔｒｏｌ  Ｐｒｏｔｏｃｏｌ）形式のパケットフレームが使用される。図に示されるように、コントローラ１側のインタフェース１０は、各種の制御用のデータを格納したレジスタ空間３１を有しており、このレジスタ空間３１には、上記のＡＶ／Ｃコマンドを内包したＦＣＰパケットフレーム（ＡＶ／Ｃコマンドフレーム３６）を一時的に格納するコマンドレジスタ３２と、ＡＶ／Ｃレスポンスを内包したＦＣＰパケットフレーム（ＡＶ／Ｃレスポンスフレーム３７）を一時的に格納するレスポンスレジスタ３３とが配されている。これらのレジスタ３２、３３の領域長は、ＦＣＰパケットフレームと同じ５１２バイトになっている。
【００１９】
また、ＶＴＲ２側のインタフェース２０も、各種の制御用のデータを格納したレジスタ空間４１を有しており、このレジスタ空間４１には、上記と同様なコマンドレジスタ４２とレスポンスレジスタ４３とが配されている。
【００２０】
上記の構成において、コントローラ１がＶＴＲ２を制御する際には、コントローラ１側のＣＰＵ１１が、制御の内容に応じたＡＶ／Ｃコマンドを内包したＡＶ／Ｃコマンドフレーム３６を作成して、コマンドレジスタ３２内に格納する。そして、インタフェース１０に対してコマンドレジスタ３２内のＡＶ／Ｃコマンドフレーム３６をＶＴＲ２に送信するように指示する。ＶＴＲ２側のインタフェース２０は、バス４を介してＡＶ／Ｃコマンドフレーム３６を受信すると、このＡＶ／Ｃコマンドフレーム３６をＶＴＲ２側のコマンドレジスタ４２に格納する。ＶＴＲ２側のＣＰＵ２５は、インタフェース２０からＡＶ／Ｃコマンドフレーム３６を格納したことを検知すると、ＡＶ／Ｃコマンドフレーム３６内に含まれるＡＶ／Ｃコマンドの内容に応じた制御処理を行うと共に、ＡＶ／Ｃコマンドフレーム３６に対するレスポンスを内包したＡＶ／Ｃレスポンスフレーム３７を作成してレスポンスレジスタ４３に格納する。そして、インタフェース２０に対してレスポンスレジスタ４３内のＡＶ／Ｃレスポンスフレーム３７をコントローラ１に送信するように指示する。コントローラ１側のインタフェース１０は、バス４を介してＡＶ／Ｃレスポンスフレーム３７を受信すると、このＡＶ／Ｃレスポンスフレーム３７をコントローラ１側のレスポンスレジスタ３３に格納する。
【００２１】
次に、上記のコントローラ１によるＶＴＲ２の制御に使用されるＶＴＲ制御画面について図３を参照して説明する。このＶＴＲ制御画面５１には、巻戻コマンドに対応した巻戻ボタン５２（請求項における巻戻キーに相当）、再生コマンドに対応した再生ボタン５３（請求項における再生キーに相当）、停止コマンドに対応した停止ボタン５４、早送コマンドに対応した早送ボタン５５（請求項における早送キーに相当）、一時停止コマンドに対応した一時停止ボタン５６、及びＶＴＲ制御画面５１をクローズさせるための画面クローズボタン５７が配されている。ユーザは、コントローラ１からＶＴＲ２を制御する際には、コントローラ１のディスプレイ１６上にこのＶＴＲ制御画面５１を表示させて、このＶＴＲ制御画面５１上に配された各種のボタン５２乃至５６をマウス１５でクリックする。これにより、コントローラ１側のＣＰＵ１１は、マウス１５でクリックされたボタンに対応した制御用コマンドを含むＡＶ／Ｃコマンドフレーム３６（図２参照）を編集し、このＡＶ／Ｃコマンドフレーム３６をＶＴＲ２に送信して、ＶＴＲ２を制御する。
【００２２】
次に、図４を参照して、上記のＶＴＲ制御画面５１上における再生ボタン５３と巻戻ボタン５２とが連続してクリックされた場合における処理について説明する。コントローラ１側のＣＰＵ１１は、再生ボタン５３がクリックされると（Ｓ１）、再生コマンドを格納したＡＶ／Ｃコマンドフレーム（以下、コマンドフレームと略す）３６を作成して、このコマンドフレーム３６をインタフェース１０によりＶＴＲ２に送信する（Ｓ２）。ＶＴＲ２側のＣＰＵ２５は、このコマンドフレーム３６を受信すると、再生コマンドに対応したＡＶ／Ｃレスポンスフレーム（以下、レスポンスフレームと略す）３７を作成して（Ｓ３）、このレスポンスフレーム３７をインタフェース２０によりコントローラ１に返送する（Ｓ４）。コントローラ１側のＣＰＵ１１は、上記のレスポンスフレーム３７をインタフェース１０により受信すると、レスポンスフレームの内容をチェックして、相手機であるＶＴＲ２が再生コマンドを正常に受け付けたか否かを確認し、正常に受け付けていた場合には、ＲＡＭ１３上の再生フラグ１８（図１参照）をオンにする（Ｓ５）。この状態で巻戻ボタン５２（図３参照）がクリックされると（Ｓ６）、コントローラ１側のＣＰＵ１１は、クリックされたボタンの種類と上記の再生フラグ１８の内容に基づいて、ＶＴＲ２に送信する制御用コマンドの種類が再生巻戻コマンドであると判定して（Ｓ７）、再生巻戻コマンドに対応したコマンドフレーム３６をインタフェース１０によりＶＴＲ２に送信する（Ｓ８）。
【００２３】
上述したように、本実施形態によるコントローラ１によれば、再生ボタン５３に続いて巻戻ボタン５２がクリックされた場合に、コントローラ１側のＣＰＵ１１が、ＶＴＲ２に状態問合コマンドを送信してＶＴＲ２が再生中であるか否かを確認することなく、ＶＴＲ２から再生コマンドに対する正常受付のレスポンスフレーム３７が返送された時点で、ＶＴＲ２に送信する制御用コマンドの種類を判定するようにした。これにより、磁気テープ再生装置から再生中であるか否かの問合結果が返ってくるのを待たずに、送信する制御用コマンドの種類を判定することができるので、ＶＴＲ２に対して再生巻戻コマンドを迅速に送信することができる。
【００２４】
なお、本発明は、上記実施形態に限られるものではなく、様々な変形が可能である。例えば、本実施形態では、再生ボタン５３に続いて巻戻ボタン５２がクリックされた場合の例を示したが、再生ボタンに続いて早送ボタンがクリックされた場合も、ＶＴＲが再生中であるか否かを確認することなく、ＶＴＲから再生コマンドに対する正常受付のレスポンスフレームが返送された時点で、ＶＴＲに送信する制御用コマンドの種類を判定することにより、ＶＴＲに対して迅速に再生早送コマンドを送信することができる。また、上記実施形態では、ＶＴＲ２の状態に関する情報を格納するためのフラグとして、ＶＴＲ２が再生中である場合にオンとなる再生フラグ１８を設けて、この再生フラグ１８の内容とクリックされたボタンに基づいてＶＴＲ２に送信する制御コマンドを判定したが、ＶＴＲが停止状態である場合にオンとなる停止フラグを設けて、この停止フラグとクリックされたボタンに基づいてＶＴＲに送信する制御コマンドを判定してもよい。
【００２５】
また、上記実施形態では、ユーザが各種の制御コマンドに対応したＶＴＲ制御画面５１上のボタン５２乃至５６をマウス１５でクリックすると、コントローラ１側のＣＰＵ１１が、クリックされたボタンに対応した制御用コマンドをＶＴＲ２に送信するようにしたが、ユーザが各種の制御コマンドに対応したキーボード上のキーを押下すると、コントローラ側のＣＰＵが、クリックされたボタンに対応した制御用コマンドをＶＴＲに送信するようにしてもよい。さらにまた、上記実施形態では、コントローラ１により制御される磁気テープ再生装置がカメラ一体型ディジタルＶＴＲ２である場合の例を示したが、コントローラにより制御される磁気テープ再生装置は、カメラと分離したタイプのＶＴＲでもよいし、アナログＶＴＲであってもよく、また、音声のみを記録したテープの再生装置であってもよい。
【００２６】
【発明の効果】
以上説明したように請求項１の発明によれば、再生キーに続いて巻戻キー又は早送キーが入力された場合に、磁気テープ再生装置が再生中であるか否かを確認することなく、磁気テープ再生装置から再生コマンドに対する正常受付のレスポンスが返送された時点で、磁気テープ再生装置に送信する制御用コマンドの種類を判定するようにした。これにより、磁気テープ再生装置から再生中であるか否かの問合結果が返ってくるのを待たずに、送信する制御用コマンドの種類を判定することができるので、磁気テープ再生装置に対して再生巻戻コマンドや再生早送コマンドを迅速に送信することができる。
【００２７】
また、請求項２の発明によれば、連続して２回のキー入力がされた場合に、磁気テープ再生装置から最初のキー入力に対応したコマンドに対する正常受付のレスポンスが返送された時点で、磁気テープ再生装置の状態を確認することなく、磁気テープ再生装置に送信する制御用コマンドの種類を判定するようにした。これにより、磁気テープ再生装置から状態の問合結果が返ってくるのを待たずに、送信する制御用コマンドの種類を判定することができるので、磁気テープ再生装置に対して制御用コマンドを迅速に送信することができる。
【００２８】
また、請求項３の発明によれば、状態情報を磁気テープ再生装置が再生中であるか否かの情報としたことにより、上記請求項１に記載の効果と同等の効果を得ることができる。
【００２９】
また、請求項４の発明によれば、請求項１乃至３のいずれかに記載のコントローラ機器とこのコントローラ機器により制御される磁気テープ再生装置とをＩＥＥＥ１３９４シリアルバスを介して接続することによりネットワークシステムを構成したので、かかるネットワークシステムにおける磁気テープ再生装置を迅速に制御することができる。
【図面の簡単な説明】
【図１】本発明の一実施形態に係るコントローラ機器とこのコントローラ機器により制御されるカメラ一体型ディジタルＶＴＲの電気的ブロック構成を示す図。
【図２】上記コントローラ機器によるカメラ一体型ディジタルＶＴＲの制御の仕組みの説明図。
【図３】上記コントローラ機器によるカメラ一体型ディジタルＶＴＲの制御に使用されるＶＴＲ制御画面を示す図。
【図４】上記ＶＴＲ制御画面上において再生ボタンに続いて巻戻ボタンがクリックされた場合におけるコントローラ機器側とカメラ一体型ディジタルＶＴＲ側の処理の遷移図。
【図５】従来のコントローラ機器において再生キーに続いて巻戻キーが押された場合におけるコントローラ機器側と磁気テープ再生装置側の処理の遷移図。
【図６】従来のコントローラ機器において図５中のＳ１０５〜Ｓ１０８の処理を省略した場合におけるコントローラ機器側と磁気テープ再生装置側の処理の遷移図。
【符号の説明】
１      コントローラ機器（ＩＥＥＥ１３９４シリアルバスへの接続機器）
２      カメラ一体型ディジタルＶＴＲ（磁気テープ再生装置）
３      ネットワークシステム
４      ＩＥＥＥ１３９４シリアルバス
１０    ＩＥＥＥ１３９４インタフェース
１１    ＣＰＵ（制御手段、判定手段）
１３    ＲＡＭ（記憶手段）
１５    マウス（キー入力手段）
１８    再生フラグ（再生情報、状態情報）
５２    巻戻ボタン（巻戻キー）
５３    再生ボタン（再生キー）
５５    早送ボタン（早送キー）
【図１】
2004236091.tif 000003
【図２】
2004236091.tif 000004
【図３】
2004236091.tif 000005
【図４】
2004236091.tif 000006
【図５】
2004236091.tif 000007
【図６】
2004236091.tif 000008